(57)【要約】【課題】ユニット内を通過する騒音と上方を通る騒音とを効果的に減衰できる防音ユニットを提供する。【解決手段】前側の上方と後側の上方へそれぞれ傾斜状に突出する前側傾斜板及び後側傾斜板を有する傾斜板部と、前後に間隔をあけて配置される前側遮音板及び後側遮音板を備える遮音板部を備えさせ、前側傾斜板と後側傾斜板を略Ｖ字形状に配置させ、前記遮音板と傾斜板部が筒状体の筒壁を構成するように設ける。前方の音源側からの騒音は前側傾斜板に遮られて遮音されると共に、その先端の位置で回折した騒音が前側傾斜板と後側傾斜板の間に入り込むようにして減衰される。また、前記遮音板部及び傾斜板部で筒状体の筒壁を構成するように設けるので、各遮音板の剛性が向上し、遮音板部における遮音効果が向上する。【選択図】        図５
2020012296.tif 000002
【特許請求の範囲】
【請求項１】
防音壁の上端に配置される防音ユニットであって、
音源側である前側の上方と後側の上方へそれぞれ傾斜状に突出する前側傾斜板及び後側傾斜板を有する傾斜板部と、
前後に間隔をあけて配置される前側遮音板及び後側遮音板を備える遮音板部を備え、
前記傾斜板部の前側傾斜板及び後側傾斜板は下部が連結された略Ｖ字形状に配置されており、
前記遮音板部の前側遮音板及び後側遮音板は、下部が連結されると共に、上部がそれぞれ前記傾斜板部に接続されて、前記遮音板部及び傾斜板部が筒状体の筒壁を構成するように設けられていることを特徴とする防音ユニット。
【請求項２】
左右方向両側にそれぞれ側面板が配置され、前記遮音板部の前側遮音板及び後側遮音板がそれぞれ前記各側面板に固定されていることを特徴とする請求項１に記載の防音ユニット。
【請求項３】
前記筒状体の内側に吸音材が収納されていることを特徴とする請求項１又は２に記載の防音ユニット。
【請求項４】
前記前側遮音板及び後側遮音板のいずれかに、前方及び後方のいずれかへ突出するリブ部が形成されていることを特徴とする請求項１〜３のいずれかに記載の防音ユニット。
【請求項５】
前記遮音板部の前方に配置される前側カバー部を備え、
該前側カバー部と前側遮音板との間に吸音材が配置されていることを特徴とする請求項１〜４のいずれかに記載の防音ユニット。
【請求項６】
前記傾斜板部の上方に配置される上側カバー部を備え、
該上側カバー部と前記傾斜板部との間に吸音材が配置されていることを特徴とする請求項１〜５のいずれかに記載の防音ユニット。
【発明の詳細な説明】
【技術分野】
【０００１】
本発明は、防音壁等の壁状体の上端に配置して、電車が走行する鉄道や、自動車が走行する車道、航空機が離着陸する滑走路等の騒音源から生じる騒音を低減させる防音ユニットに関するものである。
【背景技術】
【０００２】
防音壁等の上端に配置して騒音を低減する防音ユニットは従来より利用されており、種々の構成が提案されている。例えば、特許文献１には、音源側に傾斜した第１の分岐壁と反音源側に傾斜した第２の分岐壁とで側面Ｖ字型の本体部を形成し、第１の分岐壁の先端に反音源側に傾斜した第１の先端壁を形成するとともに、第２の分岐壁の先端に音源側に傾斜した第２の先端壁を形成し、第１及び第２の先端壁間の間隔を第１及び第２の分岐壁間の間隔の５５〜８８％としたことを特徴とする防音壁本体の上部に設置する防音装置が開示されている。
【先行技術文献】
【特許文献】
【０００３】
【特許文献１】特開平１１−２８６９１０号公報
【発明の概要】
【発明が解決しようとする課題】
【０００４】
特許文献１に示される防音装置は、側面Ｖ字型に設けた第１の分岐壁と第２の分岐壁の先端にそれぞれ先端壁を設けることで遮音と回折効果による減音を行うものであるが、本発明は上記とは別の構成によって騒音などを効果的に低減する防音ユニットを提供するものである。
【課題を解決するための手段】
【０００５】
上記目的を達成するため、本発明は以下のような構成としている。
すなわち本発明に係る防音ユニットは、防音壁の上端に配置される防音ユニットであって、
音源側である前側の上方と後側の上方へそれぞれ傾斜状に突出する前側傾斜板及び後側傾斜板を有する傾斜板部と、
前後に間隔をあけて配置される前側遮音板及び後側遮音板を備える遮音板部を備え、
前記傾斜板部の前側傾斜板及び後側傾斜板は下部が連結された略Ｖ字形状に配置されており、
前記遮音板部の前側遮音板及び後側遮音板は、下部が連結されると共に、上部がそれぞれ前記傾斜板部に接続されて、前記遮音板部及び傾斜板部が筒状体の筒壁を構成するように設けられていることを特徴とするものである。
【０００６】
本発明に係る防音ユニットによれば、音源側である前側の上方と後側の上方へそれぞれ傾斜状に突出する前側傾斜板及び後側傾斜板を有する傾斜板部を備え、各傾斜板の下部を連結させて略Ｖ字形状に配置させるので、音源側からの騒音が前側傾斜板に遮られて遮音されると共に、その先端の位置で回折した騒音が前側傾斜板と後側傾斜板の間に入り込むようにして減衰される。
また、前側遮音板と後側遮音板を前後に間隔をあけて配置する遮音板部を備えるので、音源からの騒音を２枚の遮音板で効果的に遮音できる。
また、前記各遮音板の下部を連結させると共に、上部をそれぞれ前記傾斜板部に接続して、前記遮音板部及び傾斜板部で筒状体の筒壁を構成するように設けるので、各遮音板の剛性が向上し、遮音板部における遮音効果が向上する。
【０００７】
また、左右方向両側にそれぞれ側面板を配置し、前記遮音板部の前側遮音板及び後側遮音板をそれぞれ前記各側面板に固定させれば、各遮音板の剛性がより向上し、遮音板部における遮音効果が向上するので、好ましい。
【０００８】
また、前記筒状体の内側に吸音材を収納させれば、遮音板部を通過する騒音が吸音材で減衰されるので、好ましい。
【０００９】
また、前記前側遮音板及び後側遮音板のいずれかに、前方及び後方のいずれかへ突出するリブ部を形成すれば、リブ部を形成した遮音板の剛性が向上し、遮音効果が向上するので好ましい。
【００１０】
また、前記遮音板部の前方に前側カバー部を配置し、この前側カバー部と前側遮音板との間に吸音材を配置させれば、前側カバー部を通過した騒音が前記吸音材によって減衰され、前記遮音板部を通過する騒音が効果的に減衰されるので、好ましい。
【００１１】
また、前記傾斜板部の上方に上側カバー部を配置し、この上側カバー部と前記傾斜板部との間に吸音材を配置させれば、前側傾斜板の先端の位置で回折した騒音が前記上側カバー部を通過し前記吸音材によって減衰されるので、好ましい。
【発明の効果】
【００１２】
本発明に係る防音ユニットによれば、上方を通る騒音が回折して傾斜板部で減衰できると共に、その下方に配置させる遮音板部の各遮音板の剛性を高めて通過する騒音を効果的に減衰できる。
【図面の簡単な説明】
【００１３】
【図１】本発明に係る防音ユニットの実施の一形態を示す正面図である。
【図２】図１の平面図である。
【図３】図１の右側面図である。
【図４】図１の背面図である。
【図５】図１のＡ−Ａ断面図である。
【図６】本発明に係る防音ユニットの実施の他の一形態を示す断面図である。
【図７】本発明に係る防音ユニットの実施の他の一形態を示す断面図である。
【発明を実施するための形態】
【００１４】
発明の実施の形態を図面に基づき具体的に説明する。
図１は本発明に係る防音ユニット１の実施の一形態を示す正面図であり、図２は図１の平面図であり、図３は図１の右側面図であり、図４は図１の背面図であり、図５は図１のＡ−Ａ断面図である。
図２において、図中上下方向を前後方向とし、図中左右方向を左右方向としている。
図１に示す防音ユニット１は、略矩形箱状の外形に形成している。
具体的には、防音ユニット１は、前面を前側カバー部６１で構成し、後面を後側遮音板２２で構成し、上面を上側カバー部６２で構成し、下面を下板９で構成し、左右両側の側面を側面板８で構成している。
前記前側カバー部６１と上側カバー部６２には、騒音を防音ユニット１の内側へ通過させるための貫通孔を略全面に亘り多数形成している。
また、各側面板８には、外側側方へ突出する取付部８１をそれぞれ設けており、各取付部８１を支柱が備える溝の内側へ嵌め込んで、間隔をあけて立設させた支柱間に設置させるように設けている。
【００１５】
図１に示す防音ユニット１は、左右両側に配置した各側面板８の間における縦断面を左右方向の全長に亘り略同一に形成している。
前記防音ユニット１の内側には、前側遮音板２１を収納して取り付けている。
前側遮音板２１は、前記後側遮音板２２の前方へ間隔をあけて配置しており、その下端を前記下板９へ接続して固定し、左右両側の側端を前記各側面板８へそれぞれ接続して固定している。
また、後側遮音板２２は、左右の側端が各側面板８よりも側方外側に位置しており、その板面を各側面板８へ接続させて固定している。
前記前側遮音板２１と後側遮音板２２とを前後に配置して構成する遮音板部２を設けることで、この遮音板部２を通過する騒音を効果的に低減できる。
【００１６】
前記前側遮音板２１には、前方へ突出するリブ部２１ａを左右方向の全長に亘って形成している。
前記リブ部２１ａは前側遮音板２１を曲げ加工して形成しており、上下方向に間隔をあけて２個形成している。
前記各リブ部２１ａを形成することで、前記前側遮音板２１の剛性が向上し、その遮音効果が高められる。
【００１７】
前記防音ユニット１の内側には、前側傾斜板３１と後側傾斜板３２を収納して取り付けている。
前記前側傾斜板３１は、その上端を前記前側カバー部６１と上側カバー部６２とが接続する防音ユニット１の角部に配置し、その下端を前記前側遮音板２１の上部に接続させて、前側遮音板２１の上端から前側上方へ傾斜状に突出するように設けている。
前記前側傾斜板３１と前側遮音板２１は１枚の板体で形成しており、前側遮音板２１を構成する板体の上部を曲げ加工して前記前側傾斜板３１を形成している。
【００１８】
前記後側傾斜板３２は、その上端を前記後側遮音板２２と上側カバー部６２とが接続する防音ユニット１の角部に配置し、その下端を前記前側傾斜板３１の下部に接続させて、前側傾斜板３１の下部から後側上方へ傾斜状に突出するように設けている。
前記前側傾斜板３１及び後側傾斜板３２は、図５に示すように、側面視の形状が略Ｖ字型の傾斜板部３を構成するように設けている。
【００１９】
前記防音ユニット１は、その内側に吸音材Ｓを収納している。
具体的には、前記前側カバー部６１と前側遮音板２１との間に吸音材Ｓ１を配置して収納しており、この吸音材Ｓ１と前側遮音板２１との間にスペーサーＫ１を配置して、前側遮音板２１と吸音材Ｓ１との間に隙間を設けている。
また、前記前側遮音板２１と後側遮音板２２との間に吸音材Ｓ３を配置して収納しており、この吸音材Ｓ３と前側遮音板２１との間にスペーサーＫ３を配置して、前側遮音板２１と吸音材Ｓ３との間に隙間を設けている。
また、前記前側傾斜板３１及び後側傾斜板３２とで構成される傾斜板部３と前記上側カバー部６２との間に吸音材Ｓ２を配置して収納している。
前記各吸音材Ｓ１、Ｓ２、Ｓ３は、ガラスウールや合成樹脂繊維の綿状体など、既知の材質の吸音材を利用できる。
【００２０】
前記防音ユニット１は、前方の音源からの騒音を効果的に減衰するように設けている。
具体的には、音源からの騒音が前記前側カバー部６１を通過して内側に入り込み、前記吸音材Ｓ１で低減させると共に、前記前側遮音板２１や前側傾斜板３１で遮音して減衰するように設けている。
また、前記防音ユニット１は、前側遮音板２１の後方に後側遮音板２２を配置させた遮音板部２を設けているので、前側遮音板２１を通過した騒音を前記吸音材Ｓ３で低減させると共に、後側遮音板２２で更に遮音して減衰できる。
【００２１】
また、前記防音ユニット１は、前方の音源からの騒音が上方を通過するときに、前側傾斜板３１の上端が位置する防音ユニット１の角部で回折し、上側カバー部６２を通過して前記各傾斜板３１、３２の間に入り込み減衰するように設けている。また、上側カバー部６２を通過した騒音は、前記吸音材Ｓ２で減衰できる。
【００２２】
前記遮音板部２を構成する前側遮音板２１と後側遮音板２２は、各上端が傾斜板部３の前側傾斜板３１と後側傾斜板３２とにそれぞれ接続し、各下端が下板９に接続している。
換言すると、前記前側遮音板２１、後側遮音板２２、前側傾斜板３１、後側傾斜板３２、及び前記下板９は、それぞれの端部を接続し連結させて、筒状体の筒壁を構成するように設けている。このように遮音板部２及び傾斜板部３を設けることで、各遮音板２１、２２や、後側傾斜板３２の剛性が向上し、その遮音効果が高められる。
【００２３】
図１に示す防音ユニット１は、筒状体の筒壁を構成するように配置させて遮音効果を向上させた遮音板部２と、回折音を効果的に減衰できる傾斜板部３とを組み合わせることで、高い防音効果を得ることができるため、防音ユニット１の大きさをより小さく設計できる。具体的には、前後方向の厚みの大きさをより小さく形成することができるので、防音ユニット１を設置させた状態において、前方の音源側へのはみ出しをより小さくすることができる。このように防音ユニット１を設けることで、例えば、道路脇に防音ユニット１を設置させたときに、音源側にはみ出した防音ユニット１へ車両などが接触して損傷させるような問題が生じにくくなされるので、好ましい。
更に、前記防音ユニット１は、その内側に配置した吸音材Ｓ１、Ｓ２、Ｓ３によって高い騒音減衰効果を得られるので、防音ユニット１の大きさをより小さく設けることができる。
【００２４】
図６は本発明に係る防音ユニット１の実施の他の一形態を示す断面図である。
図６に示す防音ユニット１は、遮音板部２を構成する後側遮音板２２を防音ユニット１の内側に収納し、防音ユニットの後面を後側カバー部６３で構成して、この後側カバー部６３と前記後側遮音板２２との間に吸音材Ｓ４を配置している点が、図１に示す前記防音ユニット１と異なる主な事項である。
即ち、図６に示す防音ユニット１は、図１に示す防音ユニット１と同様に、略矩形箱状の外形に形成しており、前面に前側カバー部６１、上面に上側カバー部６２、下面に下板９、左右両側の側面に側面板８を備えており、前側カバー部６１と上側カバー部６２には、騒音を防音ユニット１の内側へ通過させるための貫通孔を略全面に亘り多数形成している。
また、各側面板８には、支柱の備える溝の内側へ嵌め込むための取付部８１をそれぞれ設けている。
【００２５】
図６に示すように、前記防音ユニット１の内側には前側遮音板２１を配置し、この前側遮音板２１と前側カバー部６１との間に吸音材Ｓ１を配置して収納させている。
また、前記防音ユニット１の内側には、前側傾斜板３１と後側傾斜板３２を略Ｖ字形状に配置した傾斜板部３を設けており、傾斜板部３と上側カバー部３２との間には吸音材Ｓ２を配置して収納させている。
【００２６】
図６に示す防音ユニット１の後側遮音板２２は、前記前側遮音板２１と前記後側カバー部６３との間に配置し、その下端を下板９へ接続して固定させ、その上端を前記後側傾斜板３２の下面へ接続して固定させている。
前記前側遮音板２１と後側遮音板２２は、左右両側の側端を前記各側面板８へそれぞれ接続して固定している。
また、前側遮音板２１と後側遮音板２２との間には、吸音材Ｓ３を配置して収納させている。
このように、間隔をあけて前側遮音板２１と後側遮音板２２を配置させることで、図１に示す防音ユニット１と同様に、前側遮音板２１を通過した騒音を前記吸音材Ｓ３で低減させ、後側遮音板２２で更に遮音して減衰できる。後側遮音板２２を通過した騒音は、その後方に配置させた吸音材Ｓ４で更に減衰される。
また、前記前側遮音板２１、後側遮音板２２、後側傾斜板３２、及び前記下板９を連結させて、筒状体の筒壁を構成するように設けているので、各遮音板２１、２２や、後側傾斜板３２の剛性が向上し、その遮音効果が高められる。
【００２７】
前記後側カバー部６３は、前記前側カバー部６１や上側カバー部６２と同様に、貫通孔を略全面に亘り多数形成しており、騒音を防音ユニット１の内側へ通過させるように設けている。
前記防音ユニット１は、前方からの騒音がその上方を超えるときに、後側傾斜板３２の上端が位置する防音ユニット１の角部で回折し、後側カバー部６３を通過して吸音材Ｓ４によって減衰されるように設けている。
尚、図６に示すように、前記吸音材Ｓ４と後側遮音板２２との間にはスペーサーＫ４を配置して、隙間が生じるように設けている。
【００２８】
図７は本発明に係る防音ユニット１の実施の他の一形態を示す断面図である。
図７に示す防音ユニット１は、前側傾斜板３１と後側傾斜板３２との間に中間板３３が配置されている点のみが、図６に示す前記防音ユニット１と異なる事項である。
具体的には、前記中間板３３は、板面を上下方向に向けて配置させており、前記前側傾斜板３１の下端と後側傾斜板３２の下端をそれぞれ中間板３３に接続して連結させている。換言すると、図７に示す防音ユニット１は、前側傾斜板３１、中間板３３、後側傾斜板３２を連結させて、側面視の形状が略Ｖ字型の傾斜板部３を構成している。
【００２９】
また、図７に示す防音ユニット１は、遮音板部２を構成する前側遮音板２１と後側遮音板２２、傾斜板部３を構成する中間板３３、及び下板９を連結させて筒状体の筒壁を構成するように設けており、前記各遮音板２１、２２の剛性を高めて、その遮音効果を向上させている。
【００３０】
尚、本発明に係る防音ユニット１は、上記実施形態に限定されるものではなく、本発明の要旨を逸脱しない範囲で種々の変更が可能である。
例えば、図１、６、７に示す前記各防音ユニット１は、前側遮音板２１に形成したリブ部２１ａを、前側遮音板２１の左右方向の全長に亘って形成しているが、これに限るものではなく、一部のみに形成してもよい。また、前記リブ部２１ａの断面形状や、突出方向なども、前側遮音板２１の剛性を向上できる他の形態に変更してもよい。
また、遮音板部２を構成する前側遮音板２１にリブ部２１ａを形成しているが、これを形成せずに前側遮音板２１を平板状に設けてもよく、後側遮音板２２にリブ部を形成しもよい。
【００３１】
また、前記各防音ユニット１は、前側カバー部６１と前側遮音板２１との間に吸音材Ｓ１を配置しているが、これに限るものではなく、吸音材Ｓ１を配置しなくてもよく、前側カバー部６１を備えなくてもよい。
また、前記各防音ユニット１は、上側カバー部６２と傾斜板部３との間に吸音材Ｓ２を配置しているが、これに限るものではなく、吸音材Ｓ２を配置しなくてもよく、上側カバー部６２を備えなくてもよい。
また、前記各防音ユニット１は、前側遮音板２１と後側遮音板２２との間に吸音材Ｓ３を配置しているが、これに限るものではなく、吸音材Ｓ３を配置しなくてもよい。
【００３２】
また、前記各防音ユニット１は、前側カバー部６１、上側カバー部６２、及び後側カバー部６３を、多数の貫通孔を全面に設けた、所謂パンチング板で形成しているが、これに限るものではなく、スリットを設けた板体や、網状体など、音を容易に通過させる他の部材で形成してもよい。
【符号の説明】
【００３３】
１    防音ユニット
２    遮音板部
２１  前側遮音板
２２  後側遮音板
３    傾斜板部
３１  前側遮音板
３２  後側遮音板
３３  中間板
６１  前側カバー部
６２  上側カバー部
６３  後側カバー部
８    側面板
８１  取付部
９    下板
【図１】
2020012296.tif 000003
【図２】
2020012296.tif 000004
【図３】
2020012296.tif 000005
【図４】
2020012296.tif 000006
【図５】
2020012296.tif 000007
【図６】
2020012296.tif 000008
【図７】
2020012296.tif 000009